Podtech/llm-jp-corpus-v4-ja_patent huggingface dataset:
(57)【要約】  本発明は、臨床研究の不可視化を可能にするためにエアロゾル容器（２）に配置されるキャップ（１）に関する。
2007536040.tif 000002
【特許請求の範囲】
【請求項１】
エアロゾル容器と、該エアロゾル容器の基部に形状による嵌合によって配置された不透明基部を備えたキャップとを含み、該キャップの内縁部がエアロゾル容器に指導的に締めつけられることを特徴とする、薬剤製品。
【請求項２】
エアロゾル容器が、基部とは反対側の端部に計量分配弁を備える加圧された容器である、請求項１記載の薬剤製品。
【請求項３】
キャップが金属から形成されている、請求項１記載の薬剤製品。
【請求項４】
キャップが、一方の端部において開放しておりかつ他方の端部において不透明基部を有する中空の円筒体として設計されている、請求項１記載の薬剤製品。
【請求項５】
キャップが、キャップの開放端部に向かった僅かに狭まった内径を有する、請求項４記載の薬剤製品。
【請求項６】
キャップが、３〜１０ｍｍ、好適には４〜６ｍｍの高さと、１９〜２５ｍｍ、好適には２１〜２３ｍｍの範囲の内径とを有する、請求項４記載の薬剤製品。
【請求項７】
キャップが、５ｍｍの高さと２２．１ｍｍの内径とを有する、請求項６記載の薬剤製品。
【請求項８】
エアロゾル容器が収容されるマウスピースを有する、請求項２記載の薬剤製品。
【発明の詳細な説明】
【技術分野】
【０００１】
本発明は、吸入のための加圧された容器の不可視化を提供する装置に関する。
【０００２】
従来技術
喘息等の気道の病気を治療するための多くの作用物質は、加圧された容器内に調剤品として提供され、この容器から作用物質は肺へ投与される。このような調剤製品は、例えば、計量分配弁を有するエアロゾル容器（加圧された容器）と、容器が収容されるマウスピースとから成る。計量分配弁の弁棒はマウスピースのノズル区分に収容される。
【０００３】
試験薬剤を保持する、臨床研究において使用されるエアロゾル容器の基部は、しばしば製品の性質又は製造者を述べたインプリントを有するので、このインプリントは研究の可視化につながるおそれがある。したがって、このような製品を用いて臨床研究を行う場合、基部を見えなくすること、すなわち製品の不可視化を保証することが必要である。
【０００４】
これまで、このことは主として基部を接着剤又はタルカムパウダー等の材料で被覆することによって行われていた。しかしながら、この方法は極めて問題があることが分かった。なぜならば、不可視化は手作業で行われなければならないので、長い時間がかかる（接着剤の手作業による混合及び定着）。タルカムパウダーとの正確な混合比を得ることも困難であり、実際には、このことは、不均一な外観の製品及び高い不良率をも惹起する。接着剤によって発せられる蒸気も不可視化プロセスを極めて不快にする。
【０００５】
ＤＤ２５５２６０は、溶剤、懸濁液、凍結乾燥された製品又は粉末状製品等の無菌調剤混合物を含むバイアルの不可視化に関する。
【０００６】
米国特許第６５４４２５０号明細書は、非固体薬剤投与形式の投与を不可視化するための装置に関する。この装置は、特に、少なくとも２つのアタッチメントを有する不透明容器であり、一方のアタッチメントは薬剤投与形式のためのディスペンサへの接続のためのものであり、他方のアタッチメントはアプリケータへの接続のためのものであり、前記容器の内部は薬剤投与形式を保持するための手段を有する。
【０００７】
発明の開示
本発明の目的は、エアロゾル容器を有し、簡単に製造されることができ、従来の製品の前記欠点を回避する不可視化された製品を利用可能にすることである。
【０００８】
本発明によれば、前記目的は、エアロゾル容器の基部に正確に嵌合しながら配置された不透明キャップによって達成され、この不透明キャップの内側縁部は、取り付けられた場合にエアロゾル容器に自動的に締め付けられる。
【０００９】
したがって、本発明の主題は、エアロゾル容器と、エアロゾル容器の基部に形状による嵌合で配置されたキャップとを含む薬剤製品であり、キャップの内側縁部はエアロゾル容器に自動的に締め付けられる。
【００１０】
本発明による別の実施形態は特許請求の範囲に示されている。
【００１１】
エアロゾル容器は好適には、基部とは反対側の端部に計量分配弁を備えた加圧された容器である。
【００１２】
薬剤製品は好適にはエアロゾル容器が収容されるマウスピースを含む。
【００１３】
本発明によれば、キャップは好適には金属、例えばステンレス鋼から形成されたキャップである。しかしながら、プラスチック等のその他の材料も考えられる。製造は、当業者に知られた方法、例えば、適切な絞り成形加工及び切断ツールを使用する薄板金ストリップの深絞りによって、行われる。
【００１４】
本発明によれば、キャップは、一方の端部において開放しておりかつ他方の端部において不透明基部を有する中空の円筒体として設計されている。本発明によれば、キャップの高さは、エアロゾルが作動させられた（押し下げられた）場合、マウスピースと加圧された容器との間の空間が変化させられないように選択されていることが好ましい。このことは、吸入プロセスのための所要の空気流が損なわれないことを保証するために重要である。
【００１５】
本発明によれば、キャップは、キャップの開放端部に向かって僅かに狭まった内径を有する。したがって、キャップは、僅かな締付力を用いてエアロゾル容器の基部に配置されることができる。キャップの開放端部に向かって僅かに狭まったキャップの内径は、エアロゾル容器へのキャップの、好適には取消不能な締付けを可能にする。これにより、エアロゾル容器の基部へのキャップの永久的な固着を保証することが可能である。
【００１６】
キャップの寸法は、被覆されるべき加圧された容器の寸法に依存することができる。本発明によるキャップは、３〜１０ｍｍ、好適には４〜６ｍｍの高さと、１９〜２５ｍｍ、好適には２１〜２３ｍｍの範囲の内径とを有することが好ましい。
【００１７】
本発明の例として実施形態は図面を参照により詳細に説明される。
【００１８】
図１は、ステンレス鋼から形成された本発明によるキャップ（１）を示している。キャップは５ｍｍの高さと、２２．１ｍｍの内径とを有する。
【００１９】
図２は、計量分配弁（３）及び取り付けられたキャップ（１）を備えたエアロゾル容器（２）を示している（断面図）。
【００２０】
図３は、マウスピース（４）内の、取り付けられたキャップ（１）を備えたエアロゾル容器（２）を示している（断面図）。
【図面の簡単な説明】
【００２１】
【図１】ステンレス鋼から形成された本発明によるキャップを示している。
【図２】計量分配弁及び取り付けられたキャップを備えたエアロゾル容器を示している（断面図）。
【図３】マウスピース内の、取り付けられたキャップを備えたエアロゾル容器を示している（断面図）。
【符号の説明】
【００２２】
１  キャップ、  ２  エアロゾル容器、  ３  計量分配弁、  ４  マウスピース
【図１】
2007536040.tif 000003
【図２】
2007536040.tif 000004
【図３】
2007536040.tif 000005
【国際調査報告】
2007536040.tif 000006
2007536040.tif 000007
(57)【要約】ロケットエンジンは、エンジンノズル内に案内翼を有しており、該案内翼（２）は、前記ノズルの軸線に平行であると共に前記エンジンの燃焼室に延入する固定翼（１）の最後尾端に又はその近くに回転自在に設けられている。案内翼（２）の先頭端（４）は、前記固定翼（１）の前記最後尾端により大部分が保護されていてよく、また、前記案内翼（２）は個々に回転自在であってよい。
2007506905.tif 000002
【特許請求の範囲】
【請求項１】
エンジンノズル内に案内翼を有するロケットエンジンにおいて、該案内翼（２）は、前記ノズルの軸線に平行であると共に前記エンジンの燃焼室に延入する固定翼（１）の最後尾端に又はその近くに回転自在に設けられている、ことを特徴とするロケットエンジン。
【請求項２】
前記案内翼（２）の先頭端（４）は前記固定翼（１）の前記最後尾端により大部分が保護されている、請求項１に記載のロケットエンジン。
【請求項３】
前記案内翼（２）は個々に回転自在である請求項１又は２に記載のロケットエンジン。
【発明の詳細な説明】
【技術分野】
【０００１】
本発明は、エンジンノズル内に案内翼を有するロケットエンジンに関するものである。
【背景技術】
【０００２】
かかる案内翼は、エンジン外へのガスの流れを特定の方向に向けることによりロケットを希望の軌道に案内するために使用される。
【０００３】
ロケットにおいて、ガスが固体又は液体燃料の燃焼により発生され、て該ガスは、ノズルを通り加速されてロケットの最後尾の端部から出る。ガスの加速は、加速の方向とは反対方向にロケットに対し推力を生じさせる。
【０００４】
既知の複数の案内翼は、ノズルの超音速部内、即ち、燃焼室の後方に配置されると共に、それらの中間で又は中間近くで回転自在に軸支されている。かかる翼が回転されるときに、回転の軸線の前方及び後方にある翼の諸部分は、ノズルにおける正反対の中間面の各側へ突き出ると共に、高速度を有する加速ガスを受ける。それにより、ガス流の諸部分は阻止され、大きな流動損失と有効推力の減少とが起こる。
【発明の開示】
【０００５】
本発明の目的は、ロケットにおける案内翼を制御することによりかかる流動損失を減じる又は大部分無くすことである。
【０００６】
これは、次の独立請求項に規定されたようなロケットエンジンにより達成される。
【０００７】
従って、本発明によるロケットエンジンにおいては、案内翼は、ノズルの軸線に平行であると共に燃焼室に延入する固定翼の最後尾端に又はその近くに回転自在に軸支されている。燃焼室においては、ガスは、燃焼により加熱されノズルを通り後方へ加速されるまで、（ロケットに対して相対的に）殆ど速度を有していない。最大加速度は、ノズルの最狭部で起こる。固定翼の先頭端は、この最狭部の前に配置されており、従って、高速度を有するガスにより衝撃を受けず、流動損失はここでは最小であろう。更に、案内翼の先頭端は、それらが軸支された固定翼により保護されており、どれもが流動ガスにより衝撃を受けない。加速していて、次第に急速に流れるガスは、固定翼及び案内翼の側辺に沿って掃くように進む。案内翼が回転されると、ガスは、偏向されて、ノズルの軸線に対して相対的に幾分傾斜した推力を生じさせ、ロケットの方向が変えられる。
【０００８】
案内翼は個々に回転自在であってよい。ステアリングは、電気的又は機械的システム、例えば、固定翼及び案内翼間のヒンジが回転させるための手段と関連しているシステム又は案内翼を保持するシャフトが回転できるシステムの使用により行なわれうる。
【０００９】
案内翼は、それらの回転の軸線が固定翼の近くにあることを必ずしも必要としているのではない。回転の軸線を固定翼の近くにしておくことは、案内翼に与える流動ガスの衝撃を無くすが、回転のエネルギ要求は比較的に大きくなる。回転の軸線を固定翼から特定距離にしておくことは案内翼を回転させるエネルギ要求を減少させるが、案内翼に対するガスの若干の衝撃が起こる。回転の軸線は、原理的に、案内翼に沿ってどこにでも配置することができる。
【００１０】
本発明は、添付図面に示した実施形態を用いて以下に説明されるであろう。
【発明を実施するための最良の形態】
【００１１】
図１は、丸みのある先頭端３を有する固定翼１を示している。この固定翼の後方にあるのは、丸みのある先頭端４を有する案内翼２である。案内翼２は、固定翼１にヒンジ結合されるか或いは図示しない回転自在のシャフトに固定されている。固定翼１は、ノズルにある絞り部５、即ち、最狭部を通り突き出ている。絞り部５の左側の部分はエンジンの燃焼室である。
【００１２】
図２は、固定翼１と、該固定翼１に対して相対的に回転した案内翼２とを示している。流動ガスは、２つの翼の側辺に沿って進むと共に、案内翼２により偏向される。そのために、部分６に低圧が生じる。案内翼に向かうガスの入口は固定翼の風下にあるので、案内翼に衝突する入口損失は最小化される。
【００１３】
固定翼１の先頭端３が配置される燃焼室内のガスの速度は低いので、ガスは、これらの端に衝撃を与えないが、後方への加速を開始する。その結果、固定翼の端３に由来する流動損失は何ら生じない。ガスは、翼１及び２の側辺に沿って進み、そして案内翼２の先頭端が固定翼の最後尾端により保護されているので、ガスは、どちらの案内翼２の先頭端にも強く当たらない。
【００１４】
図３は、ロケットエンジンにおいてノズル７の内部にどのようにして翼が設けられているかを示している。この実施形態は、４対の翼を示しているが、これは何ら制限を構成するものではない。固定翼１は、ノズル内の中央円錐体８に設けられると共に、該円錐体８及びノズル７を接続している。案内翼２は、固定翼１の最後尾端にヒンジ結合されるか或いは図示しない回転自在のシャフトに固定されると共に、図では、翼１に対して相対的に向きを変えて示されている。
【００１５】
これら案内翼２は個々に回転自在であってよい。
【図面の簡単な説明】
【００１６】
【図１】ロケットエンジンにおける絞り部を通って突き出る固定翼と、該固定翼にヒンジ結合されるか或いは回転自在のシャフトに固定される案内翼とを概略的に示している。
【図２】固定翼と、流動ガスを偏向させることによりロケットの方向の変化を生じさせるために該固定翼に対して相対的に傾斜した案内翼とを示している。
【図３】それぞれ案内翼を備えた４つの固定翼が設けられているロケットノズルの後方部の実施形態を示しており、該固定翼はノズル内の中央円錐体に装着されている。
【図１】
2007506905.tif 000003
【図２】
2007506905.tif 000004
【図３】
2007506905.tif 000005
【国際調査報告】
2007506905.tif 000006
2007506905.tif 000007
(57)【要約】  自動車ヘッドランプに適したランプ(10)は、１端部(16)に配置された封止された光源(14)を備えるハウジング(12)、及び反対側の端部(20)に配置されたレンズ(18)を有する。レンズ(18)は、ハウジング(12)の端部(20)のフランジ(24)と係合する周縁フランジ(22)を含む。ベゼル(26)はハウジング(12)の端部(20)に配置され、そこに取り付けられる。ベゼル(26)はレンズ収容開口部(28)を含み、封止ガスケット(30)はレンズ(18)上の外部周縁位置(32)とレンズ収容開口部(28)を囲む内部フランジ(34)の間に配置される。
2007504611.tif 000002
【特許請求の範囲】
【請求項１】
反射鏡に囲まれ、前記反射鏡が１端部において周縁フランジを含むレンズによって閉じられる封止された光源、
１端部において、外部に対してレンズ収容開口部を定める内部フランジによって形成されるベゼルによって閉じられるハウジング、及び
前記レンズ上の外部周縁位置と前記内部フランジの間に配置された封止ガスケットを含み、
前記光源、前記反射鏡、及び前記レンズが、前記ハウジングと、前記定められた開口部を閉じて外部に面する前記内部フランジに封止された前記レンズを有するベゼルとに囲まれることを特徴とするランプ。
【請求項２】
前記封止された光源が高輝度アーク放電管であることを特徴とする、請求項１に記載のランプ。
【請求項３】
前記レンズが平凸レンズであることを特徴とする、請求項１に記載のランプ。
【請求項４】
前記ランプが自動車ヘッドランプであることを特徴とする、請求項１に記載のランプ。
【発明の詳細な説明】
【技術分野】
【０００１】
本願は、2003年08月27日に出願の米国特許仮出願第60/498,246号の優先権を主張する。
本発明はランプに関し、更に詳細には、自動車ヘッドランプに関する。更に詳細には、投射レンズを利用する自動車ヘッドランプに関する。
【背景技術】
【０００２】
最近、投射レンズ・ヘッドランプが、自動車用途に使用される。その種のランプは、ハウジングに取り付けられた第１投射レンズ、及び自動車の一部（通常は、泥よけの一部）として形成される第２レンズを含む。相当な空隙が２つのレンズの間に提供されて全体的なランプの長さの増加をもたらし、長さが自動車産業に対する相当な設計上の問題、及び追加費用をもたらす。
【発明の開示】
【発明が解決しようとする課題】
【０００３】
従って、本発明の目的は、従来技術の短所を除去することである。
【０００４】
本発明の他の目的は、投射ヘッドランプを向上させることである。
【０００５】
本発明の他の目的は、投射ヘッドランプの利用に必要な長さを減少させることである。
【課題を解決するための手段】
【０００６】
これらの目的は、本発明の１側面において、１端部に配置された封止された光源を備えるハウジングを含むランプによって達成される。レンズはハウジングの反対側端部に配置され、レンズはハウジングの反対側端部に形成されたフランジと係合する周縁フランジを含む。ベゼルは光源と向かい合うハウジングの端部に配置され、そこに取り付けられる。ベゼルは、レンズ収容開口部を含む。封止ガスケットが、レンズ上の外部周縁位置とベゼルのレンズ収容開口部を囲む内部フランジの間に配置される。
【０００７】
この構造が、第２レンズの必要性を無くし、ランプを取り付けるために必要な長さを大幅に減少させる。
【発明を実施するための最良の形態】
【０００８】
図面を詳細に参照すると、自動車ヘッドランプに適したランプ１０が示される。ランプ１０は、適切な材料（例えば、プラスチック）のハウジング１２を有する。封止された光源１４（例えば、高輝度アーク放電管）がハウジング１２の１端部１６に配置され、レンズ１８がハウジングの（端部１６と反対側の）端部２０に配置される。レンズ１８は平凸レンズであり、ハウジング１２の端部２０のフランジ２４と係合する周縁フランジ２２を含む。レンズ材料は、硬化プラスチック（又は、ガラス）であることが好ましい。ＤＯＴ（運輸省）及びＳＡＥ（自動車技術協会）の規則が可視レンズ表面の外側のマーキングを要求しているので、必要なマーキングを適用するための適切な技術はレーザー・エッチング・ダイオード・ポンピング、マスキング、及びアグレッシブ媒質（又は、カーバイド・ペン・エッチング）によるブラスティングを含む。
【０００９】
ベゼル２６がハウジング１２の端部２０に嵌め込まれ、適切な方法で取り付けられる。ベゼル２６は、レンズ収容開口部２８を含む。
【００１０】
適切な材料（例えば、テフロン（登録商標）、シリコン、又はウレタン）の封止ガスケット３０が、レンズ１８上の外部周縁位置３２とベゼル２６のレンズ収容開口部２８を囲む内部フランジ３４の間に配置される。反射鏡３６を、光源１４の周りに配置してもよい。
【００１１】
もし光源がアーク放電管なら、ハウジング１２も必要な電子部品を安定器の形態で取り付ける領域を備えてよい。
【００１２】
ガスケット３０は、設置後に少なくとも僅かに圧縮されるサイズであり、それによってランプに封止を提供し、第２レンズ（又は、レンズ・カバー）の必要性を無くす。
【００１３】
また、第２レンズを無くすことは、ランプの全体的な長さを短くし、設計者に対して多くの必要なスペースを復活させる。
【００１４】
以上、本発明の好ましい実施例について図示し記載したが、特許請求の範囲によって定められる本発明の範囲から逸脱することなしに種々の変形及び変更がなし得ることは、当業者には明らかであろう。
【図面の簡単な説明】
【００１５】
【図１】本発明の実施例の断面図である。
【符号の説明】
【００１６】
１０      ランプ
１２      ハウジング
１４      光源
１６，２０      端部
１８      レンズ
２２      周縁フランジ
２４      フランジ
２６      ベゼル
２８      レンズ収容開口部
３０      ガスケット
３２      外部周縁位置
３４      内部フランジ
３６      反射鏡
2007504611.tif 000003
【国際調査報告】
2007504611.tif 000004
(57)【要約】瞬間暖房器は温風（２）を集めるベル型ハウジング（１）を備え、ベル型ハウジングは好ましくは始動時に自動車のエンジン（４）の排ガス出口マニホールド（３）に接触または近接し、エアホース（５）により小タービン（６）又は換気ファンに連結され、小タービン（６）又は換気ファンは適切な一本又は複数のパイプ（７）を経由して温風を客室（８）内に、前後のスクリーン（９）や外部のバックミラー（１０）まで送り込み、また前記タービン（６）を停止する手動又は電気的に作動するバタフライ弁（１２）により、瞬間暖房を停止して従来暖房を開始するサーモスタット（１１）を備える。【選択図】図１
2007527821.tif 000002
【特許請求の範囲】
【請求項１】
自動車の客室を暖房し、スクリーンの霜を取る手段の中の瞬間暖房器であって、
温風（２）を集めるベル型ハウジング（１）と、
エアホース（５）と、
小タービン（６）または換気ファンと、
適切な一本又は複数のパイプ（７）と、
サーモスタット（１１）と、
バタフライ弁（１２）とを備え、
前記ベル型ハウジング（１）は好ましくは始動時に自動車のエンジン（４）の排ガス出口マニホールド（３）に接触または近接し、前記エアホース（５）により前記小タービン（６）又は換気ファンに連結され、
前記小タービン（６）又は換気ファンは、前記適切な一本又は複数のパイプ（７）を経由して温風（２）を客室（８）内に、前後のスクリーン（９）または外部のバックミラー（１０）まで送り込み、
また前記サーモスタット（１１）は、前記タービン（６）を停止して手動又は電気的に作動する前記バタフライ弁（１２）により瞬間暖房を停止して従来暖房を開始することを特徴とする瞬間暖房器。
【請求項２】
前記サーモスタット（１１）の補足として、また予め設定した温度に達した時に、二酸化炭素検知器（１３）は客室（８）において警告灯および／またはブザーを作動させることを特徴とする請求項１記載の瞬間暖房器。
【請求項３】
装置を制御する中央電気ユニット（１５）を備えることを特徴とする請求項１または２に記載の瞬間暖房器。
【発明の詳細な説明】
【技術分野】
【０００１】
本発明は狭い領域、特に自動車の客室を暖房し、スクリーンの霜を取るための暖房手段の中の瞬間暖房器に関する。
【発明の開示】
【発明が解決しようとする課題】
【０００２】
極端な場合、自動車の内部に達することもある寒さから生じる問題は、たとえこれらの自動車に二重ガラスを設けたとしても、通常、その問題は運転を不愉快または不快なものにし、短い移動においては単に運転によってのみでは解決されない。
【０００３】
本発明は排ガスマニホールドに接触または近接したベル型ハウジング、および自動車の始動の間に空気を客室に送り込むユニットに関し、このユニットは瞬間暖房を停止し従来暖房に切り替える分離手段と、タービンを停止し又は空気の流れを分断するバタフライ弁として機能し、警告灯および／またはブザーを作動させる二酸化炭素検出器を有する。
【課題を解決するための手段】
【０００４】
出願人は本発明の上記の問題を簡単かつ効率的に解決する他の手段の存在を知らず、本発明を以下に説明することとする。
【０００５】
本発明は、好ましくは自動車の客室の暖房手段であり補足的にスクリーンの霜を取る手段の中でも、瞬間暖房器に関する。
【０００６】
本発明は自動車の排ガスマニホールドに接触または近接するように配置され、自動車の始動時に機能するように設定された温風を集積するベル型ハウジングの特別構造に関する。
【０００７】
エアホースはベル型ハウジングを小タービン又は換気ファンに連結し、小タービン又は換気ファンは適切な一本又は複数のパイプを用いて、温風を暖房空間および／または前後のスクリーンや外部のバックミラーのように、より高温にする必要がある部材に送り込む。
【０００８】
このアセンブリはまた、瞬間暖房を切り、従来のように手動、電気的又は他の手段によって作動するバタフライ弁等から成る従来暖房に切り替える分離手段を備える。
【０００９】
最後にアセンブリは、タービン又は換気ファンを停止し、空気流停止弁を作動させ、重複的に警告灯および／またはブザーを作動させる二酸化炭素検出器を有する。
【発明を実施するための最良の形態】
【００１０】
上記に照らして、本発明は自動車の客室を暖房しスクリーンの霜を取る手段の中の瞬間暖房器に関する。基本的に、温風（２）を集積するベル型ハウジング（１）から成り、ベル型ハウジングは好ましくは自動車が始動する際に自動車のエンジン（４）の排ガス出口マニホールド（３）に接触または近接（semi-attached）し、エアホース（５）により小タービン（６）又は換気ファンに連結され、小タービン又は換気ファンは適切な一本又は複数のパイプ（７）を経由して、温風を客室（８）内に、前後のスクリーン（９）や、外部のバックミラー（１０）まで送り込む。
【００１１】
アセンブリはサーモスタット（１１）を使用して瞬間暖房を停止し、タービン（６）を停止する手動又は電気的に作動するバタフライ弁（１２）を用いて従来暖房を開始する。これに替えて二酸化炭素検知器（１３）は、予め設定された温度に達した時にタービンを停止するだけでなく、警告灯および／またはブザー（１４）を作動させる。前記アセンブリは中央電気ユニット（１５）により制御してもよい。
【００１２】
本発明の本質は構成部品の材質、形状、大きさ、及び配置の変更により変わることはなく、説明は非制限的である。又、この説明は専門家が本発明を再現するのに十分な方法である。
【図面の簡単な説明】
【００１３】
本明細書は好適な実施例を示す図面が補足されるが、本発明の範囲を狭めるものではない。
【図１】本発明の対象である主要装置の図表であり、ベル型ハウジングと排ガス出口マニホールドにより加熱された空気を集めて送り込む手段を示す。
【図２】本発明を構成するアイテムの組み合わせを示すブロック図である。
【図１】
2007527821.tif 000003
【図２】
2007527821.tif 000004
【国際調査報告】
2007527821.tif 000005
2007527821.tif 000006
2007527821.tif 000007
2007527821.tif 000008
(57)【要約】  本発明は、ツールを設計するためのパラメータ・リバース・エンジニアリング方法であって、該方法は、既存のモデル（既存の部品に対する既存のツールの設計）を取り込む工程と、前記既存のツールのテンプレートを作成する工程と、前記ツールを前記部品から分離する工程と、断面線および特徴線を用いて作成された既存のツールをカタログに入れる（カタログの形態で構成される数値データベースに保存する）工程と、元の部品を取り除く工程と、前記既存のツールの前記テンプレートをパラメータ化する（断面線および特徴線上にパラメータの輪郭を作成する）工程と、新しい部品を取り込む工程と、前記パラメータ・テンプレートを前記新しい部品に対応させる工程と、新しいモデル、即ち、前記新しい部品のための新しいツールを作成する工程と、を備えることを特徴とする。
2007527038.tif 000002
【特許請求の範囲】
【請求項１】
ツールを設計するためのパラメータ・リバース・エンジニアリング方法であって、該方法は、
既存のモデル（既存の部品に対する既存のツールの設計）を取り込む工程と、
前記既存のツールのテンプレートを作成する工程と、
前記ツールを前記部品から分離する工程と、
断面線および特徴線を用いて作成された既存のツールをカタログに入れる（カタログの形態で構成される数値データベースに保存する）工程と、
元の部品を取り除く工程と、
前記既存のツールの前記テンプレートをパラメータ化する（断面線および特徴線上にパラメータの輪郭を作成する）工程と、
新しい部品を取り込む工程と、
前記パラメータ・テンプレートを前記新しい部品に対応させる工程と、
新しいモデル、即ち、前記新しい部品のための新しいツールを作成する工程と、を備えることを特徴とする、ツールを設計するためのパラメータ・リバース・エンジニアリング方法。
【請求項２】
請求項１に記載のツールを設計するためのパラメータ・リバース・エンジニアリング方法において、前記パラメータ・テンプレートを前記新しい部品に対応させる工程は自動的に行われることを特徴とするパラメータ・リバース・エンジニアリング方法。
【請求項３】
請求項１に記載のツールを設計するためのパラメータ・リバース・エンジニアリング方法において、前記パラメータ・テンプレートを前記新しい部品に対応させる工程は相互作用的に行われることを特徴とするパラメータ・リバース・エンジニアリング方法。
【発明の詳細な説明】
【技術分野】
【０００１】
本発明は、プレスのシミュレーション方法の分野に関する。
本発明は、特に、ツールを設計するためのパラメータ・リバース・エンジニアリング方法に関する。
【背景技術】
【０００２】
金型を製作する従来の方法は、設計、評価、部品に対するデータにより開発といった繰り返しのサイクルに従い実施され、頻繁に各工程に戻ることもある。
従来技術の公知の方法は、ＣＡＤファイルに基づくシミュレーションを実行することを含む。シミュレーション工程が終了するとレポートが作成されるが、新しいシミュレーションはそれぞれ前のシミュレーションの結果を考慮することなく実施される。従来技術の方法では、既に実施された作業は利用されない。
【発明の開示】
【発明が解決しようとする課題】
【０００３】
本発明は、得られた経験を利用し、既に実施された作業を再利用することで従来技術の欠点を克服することを目的とする。
【課題を解決するための手段】
【０００４】
このために、本発明は、その最も一般的な形態において、ツールを設計するためのパラメータ・リバース・エンジニアリング方法に係わり、該方法は、
・既存のモデル（既存の部品に対する既存のツールの設計）を取り込む工程と、
・前記既存のツールのテンプレートを作成する工程と、
前記ツールを前記部品から分離する工程と、
断面線および特徴線を用いて作成された既存のツールをカタログに入れる（カタログの形態で構成される数値データベースに保存する）工程と、
元の部品を取り除く工程と、
・前記既存のツールの前記テンプレートをパラメータ化する（断面線および特徴線上にパラメータの輪郭を作成する）工程と、
・新しい部品を取り込む工程と、
・前記パラメータ・テンプレートを前記新しい部品に対応させる工程と、
・新しいモデル、即ち、新しい部品のための新しいツールを作成する工程と、を備えることを特徴とする。
【０００５】
第１の変形例によると、パラメータ・テンプレートを新しい部品に対応させる工程は自動的に行われる。
第２の変形例によると、パラメータ・テンプレートを新しい部品に対応させる工程は相互作用的に行われる。
【発明を実施するための最良の形態】
【０００６】
本発明は、本発明の実施形態の純粋なる説明としての以下の記述と共に添付の図面を参照することにより、より良く理解されるであろう。
本発明による方法は、既存のツールと新しい部品との設計に取り組むことで新しい金型の設計を考案することを可能にする。金型を製造する方法は図２に示される。
【０００７】
本発明による方法を実行するために入力として供給されるべきデータは、
・新しい部品、
・既存の部品のための既存のツール、である。
【０００８】
既存のツールは、特に、金型エントリー線を自動的にトレースして、輪郭を再構成することで分解される。
別の工程は、様々なパラメータ要素（輪郭、ブランク・ホルダー面等）を用いて新しい金型を作り直すことを含む。
【０００９】
本発明は、上記において一例として説明される。当然のことながら、当業者は特許の範囲から全く逸脱することなく本発明の様々な変形例を実施することができるであろう。
【図面の簡単な説明】
【００１０】
【図１】金型を作成する繰り返し方法を示す図である。
【図２】金型を作製する方法を示す図である。
【図３】本発明によるリバース・エンジニアリング方法の入力を示す図である。
【図４】本発明によるリバース・エンジニアリング方法を示す図である。
【図５】本発明によるリバース・エンジニアリング方法を示す図である。
【図６】本発明によるリバース・エンジニアリング方法を示す図である。
【図１】
2007527038.tif 000003
【図２】
2007527038.tif 000004
【図３】
2007527038.tif 000005
【図４】
2007527038.tif 000006
【図５】
2007527038.tif 000007
【図６】
2007527038.tif 000008
【国際調査報告】
2007527038.tif 000009
2007527038.tif 000010
(57)【要約】【課題】パート・ド・ヴェールの技法で光沢を表面に出した表現を作り出すと同時に、抜け勾配などにて制限のある形を自由に形作れる様にする。【解決手段】石膏型の表面にあらかじめガラス粉でコーティングし上部より自然に垂れ落ちる様  組まれた仕掛けより加熱されたガラスが落ちコーティングされた石膏の表面を垂れ落ちるガラスが型を包み込む。石膏表面のガラスは厚くなり強度を保つ事もでき光沢の表現もできる事となる。石膏型表面へのガラス粉のコーティングにより自由な形で形作る事ができる。【選択図】図２
2019055907.tif 000002
【特許請求の範囲】
【請求項１】
炉内にて自然に垂れ落ちるガラスをガラス粉でコーティングされた石膏型の表面をつたわせて作るガラスの工芸品
【発明の詳細な説明】
【技術分野】
【０００１】ガラス工芸。
【背景技術】
【０００２】フランス発祥のガラス工芸技法パート・ド・ヴェールの従来の技法は石膏型にガラス粉を詰め、焼成する事でガラス表面に出る表現は一様にすりガラスの様な表現でしか作品を作る事ができなかった。
また形も抜け勾配により制限があり様々な形を作る事はたいへん困難である。
【発明の概要】
【発明が解決するための課題】
【０００３】パート・ド・ヴェールの技法では表現できなかった作品の表面を宙吹きガラスの様なガラスの光沢を生かした表現を実現する。
また形作りに制限のあった技法をどの様な形にでも作れる様にする。
【課題を解決するための手段】
【０００４】石膏型表面をあらかじめ植物性のりでといたガラス粉でコーティングする。
炉内でその型の上部より加熱されたガラスが自然に垂れ落ちる仕掛けを組む。
【発明の効果】
【０００５】ガラス粉が直接熱に当たる事により光沢のある表面に仕上げる事ができる。
石膏をガラス粉でコーティングする事により自由な形を形作れる。
【図面の簡単な説明】
【０００６】
【図１】
2019055907.tif 000003
【図２】じょうご状に作られた石膏型ＢにＧ▲２▼（ガラス粉やガラスカレットなど）を入れ支柱でＢを支え宙に浮かせた状態を炉の中にセットし、図１、ＡをＢの直下へ置き加熱する。加熱して溶かされたＧ▲２▼がＢの穴★からＡへ自然に垂れ落ちＡをＧ▲２▼が  Ｇ▲１▼をはう様に包み込む。焼成冷却後Ｘの部分で切断する。
【発明と実施するための形態】
【０００７】形作りたい石膏型をあらかじめガラス粉でコーティングする。（なるべく均一に表面に貼り付ける）
宙に浮かせたじょうご型（Ｂ）の石膏型から垂れ落ちるガラスはコーティングされたガラス表面をつたい自然にＡを包み込む事により光沢のある表面をもつパート・ド・ヴェールができる。
また型を宙に浮かす事により炉内で同時に別々の物ができる（図３）
【実施例】
【０００８】図２、焼成冷却後Ｘの地点で切断する事でグラスや器を作る事ができる。
またＸ地点で切断せずＧ▲１▼・Ｇ▲２▼を連結させた状態で足の付いた器（ワイングラス・キャンドルスタンド等）などを制作する事ができる。
図３、ＣとＤの▲（径）の形を合わせＣは容器、Ｄは蓋として型を作る。
Ｇ▲３▼であらかじめコーティングし、Ｇ▲４▼を★より熱で溶かし垂れ落ちさせる
焼成冷却後Ｙ地点で切断
Ｃ型のＧ▲３▼を容器Ｄ型のＧ▲３▼を蓋として利用する。
図４、Ｅ内側側面にガラスを貼り付け（Ｇ▲５▼）炉内で垂れ落ちるＧ▲６▼を利用し容器の足を作る。
【産業上の利用可能性】
【０００９】今までのパート・ド・ヴェールの技法で成し得なかった光沢のある表面の表現を実現する事で、表現の幅が広がり今までに見た事の無い作品作りができる
【図１】
2019055907.tif 000004
【図２】
2019055907.tif 000005
【図３】
2019055907.tif 000006
【図４】
2019055907.tif 000007
【手続補正書】
【提出日】平成29年12月14日(2017.12.14)
【手続補正１】
【補正対象書類名】明細書
【補正対象項目名】０００６
【補正方法】変更
【補正の内容】
【０００６】
【図１】石膏型Ａを植物性のりで溶いたガラス粉でコーティングする
【図２】ジョウゴ状に作られた石膏型Ｂに、ガラス粉やガラスカレットＧ▲２▼を入れる。それを電気炉内の支柱で支え宙に浮かせる。Ｂの真下へ〔図１〕のＡを置き電気炉内の温度を上げる。熱で溶かされたＧ▲２▼はＡへ自然に垂れ落ちる、冷却後Ｘ地点で切断。Ａを取り除くと器ができる。
【図３】石膏型Ｄ内側を植物性のりで溶いたガラス粉Ｇ▲３▼でコーティングしそこへガラス粉、ガラスカレットＧ▲４▼を入れ電気炉内の支柱で支え宙に浮かせる。あらかじめガラス粉でコーティングされた石膏型Ｃを真下に置き電気炉内の温度を上げる。熱で溶かされたＧ▲４▼がＣへ自然に垂れ落ちる  冷却後、Ｙ地点で切断。Ｄの▲とＣの▲の径を合わせる事により蓋と容器を同時に作る事ができる。冷却後Ｄ、Ｃは取り除く。
【図４】石膏型Ｅ内側をガラス粉でコーティングするＧ▲５▼。そこへガラス粉、ガラスカレットＧ▲６▼を入れ、電気炉内支柱で宙に浮かせ炉内温度を上げる  Ｇ▲６▼が熱により溶かされ自然に垂れ落ちたＧ▲６▼で容器の足を作る。冷却後Ｅを取り除く。
(57)【要約】【課題】  粉末剤等の取り出しを収納容器の蓋の開閉、スプーンでの救い上げ動作を簡潔にし、片手でできるようにする。【解決手段】  容器（１）の先端にチューブ（２）を取付け、クリップ（３）を介して、クリップを摘まむことで粉末剤等の取り出しを片手でできるようにしたことを特徴とする粉末・顆粒剤取り出し容器。【選択図】図３
2019055814.tif 000002
【特許請求の範囲】
【請求項１】
容器（１）の先端にチューブ（２）を取付け、クリップ（３）を介して、クリップを摘まむことで粉末剤等の取り出しを片手でできるようにしたことを特徴とする粉末・顆粒剤取り出し容器。
【発明の詳細な説明】
【技術分野】
【０００１】  本発明は、片手で粉末剤等を一定量取り出すことができる粉末・顆粒剤取出し容器である。
【背景技術】
【０００２】  従来、容器に入った粉末剤等の取り出しは、蓋を開けスプーンですくい再度蓋を閉じていた。
【先行技術文献】
【特許文献】
【０００３】
【特許文献１】特開  ２０１７−８８２４２号公報
【発明の概要】
【発明が解決しようとする課題】
【０００４】  そのために、次のような問題点があった。
収納容器の蓋の開閉、蓋の置き場と面倒なことがある。
本発明は、これらの問題点を解決するためになされたものである。
【課題を解決するための手段】
【０００５】  上記問題を解決するために、容器（１）の先端にチューブ（２）を取付け、クリップ（３）を介して片手で一定量の粉末剤等の取り出しができる装置を提供する。
【発明の効果】
【０００６】  容器を逆さにし、片手でクリップのつまみを握ることで一定量の粉末剤等を取出すことができる。
万一、容器が倒れてもスプリングによりチューブ先端は通常時は閉じており、内容物の飛散はない。
【図面の簡単な説明】
【０００７】
【図１】  本発明の容器を置いた状態の説明図
【図２】  本発明の容器を逆さにした状態の説明図
【図３】  本発明のクリップを摘まんだ状態の説明図
【発明を実施するための形態】
【０００８】  以下、本発明の実施の形態について説明する。
（イ）容器（１）の先端にキャップ（５）を介してチューブ（２）を取り付ける。
（ロ）クリップ（３）はクリップ受け（６）と連結し同じくキャップ（５）に固定している。
本発明は以上のような構成である。これを使用する場合の手順について説明する。
（イ）容器本体を逆さにすることでチューブ（２）内に粉末剤等が落下充満され、クリップ（３）を摘まむとチューブ（２）の上部が閉じられる。
（ロ）摘まむと同時にチューブ（２）の先端部が開きチューブ（２）内の一定量の内容物が下に落ちることになる。
【符号の説明】
【０００９】１  容器
２  チューブ
３  クリップ
４  スプリング
５  キャップ
６  クリップ受け
【図１】
2019055814.tif 000003
【図２】
2019055814.tif 000004
【図３】
2019055814.tif 000005
(57)【要約】【課題】本発明は、軽量化した本体による容易な移動および回転補助具で荷上げ動作をサポートし、回転終了時に本体に発生する振動を緩和する農具を提供する。【解決手段】軽量鉄からなる本体に重量物を載せる荷台が設けられ、本体には自在車輪からなる前輪および固定車輪からなる後輪が装着され、本体の車輪が取り付けている部分とは反対側の後輪側にハンドルが設けられ、後輪付近の本体には回転補助具付き金具を取り付ける箇所が設けてあり、回転補助具を支点にハンドルを手前に倒しハンドルを接地させたときにハンドルにはコイル状のバネが装着したことを特徴とした農具【選択図】図１
2019055725.tif 000002
【特許請求の範囲】
【請求項１】
軽量鉄からなる本体に重量物を載せる荷台が設けられ、本体には自在車輪からなる前輪および固定車輪からなる後輪が装着され、本体の車輪が取り付けている部分とは反対側の後輪側にハンドルが設けられ、後輪付近の本体には回転補助具付き金具を取り付ける箇所が設けてあり、回転補助具を支点にハンドルを手前に倒しハンドルを接地させたときにハンドルにはコイル状のバネが装着したことを特徴とした農具
【発明の詳細な説明】
【技術分野】
【０００１】
本発明は、軽量化した本体による容易な移動および回転補助具で荷上げ動作をサポートし、回転終了時に本体に発生する振動を緩和する農具に関するものである。
【背景技術】
【０００２】
従来、二輪車での重量物の運搬するものあがった（特許文献１参照）。
また、二輪車で重量物を運搬するもので二輪の後方に支点があるものがあった（特許文献２参照）。
【先行技術文献】
【特許文献】
【０００３】
【特許文献１】特開平05−294244
【特許文献２】特開2006−327563
【発明の概要】
【発明が解決しようとする課題】
【０００４】
そのために次のような問題点があった。
（イ）2輪のため、重量物を載せてコントロールしながら移動は大変難しかった。
（ロ）本体が重く重量物の荷上げには労力を要した。
(ハ）本体からの振動で重量物の破損がおきがちであった。
本発明は、これらの問題点を解決するためになされたものである。
【課題を解決するための手段】
【０００５】
軽量鉄で本体を軽量化する。
本体に自在車輪と固定車輪を装着する。
回転補助具付き取り付け金具を本体に装着する。
本体に取り付けてあるハンドル内部にコイル状のバネを装着する。
以上を特徴とする農具である。
【発明の効果】
【０００６】
重量物の安定した移動、荷上げ作業の労力軽減および重量物の破損防止をすることができ、きわめて安全である。
【図面の簡単な説明】
【０００７】
【図１】本発明の正面図である。
【図２】本発明の側面図である。
【図３】本発明の後面図である。
【図４】本発明の作業時の側面図である。
【図５】本発明の自在車輪の断面図である。
【図６】本発明の回転補助具付きの取り付け金具取の側面図である。
【図７】本発明のコイル状のバネを内蔵したハンドルの断面図である。
【発明を実施するための形態】
【０００８】
以下、本発明の実施の形態について説明する。
【０００９】
（イ）本体（１）にコイル状のバネを内蔵したハンドル（２）を設ける。
（ロ）本体の前部に自在車輪（３）、後部に固定車輪（４）を装着する。
（ハ）本体に荷台（５）を設ける。
（二）本体に回転補助具（６）付きの取り付け金具（７）を装着する。
本発明は以上のような構成である。
本発明を使用するときは、本体（１）に設けてある荷台（５）に重量物を載せハンドル（２）を握り自在車輪（３）と固定車輪（４）を使い移動し、方向転換には自在車輪（３）を使い転換する。
本体を回転補助具（６）付きの取り付け金具（７）を支点にハンドル（２）を手前に倒し地面に接地させる。
地面に接地したときに生じる本体の振動をハンドル（２）内のコイル状のバネが緩和する。
重量物を本体に設けてある荷台（５）から取り出す。
【産業上の利用可能性】
【００１０】
一次産業を利用項目として、水稲における玄米および白米（袋）の移動、荷上げ作業の補助を目的とする。
【符号の説明】
【００１１】
１  本体
２  ハンドル
３  自在車輪
４  固定車輪
５  荷台
６  回転補助具
７  取り付け金具
【図１】
2019055725.tif 000003
【図２】
2019055725.tif 000004
【図３】
2019055725.tif 000005
【図４】
2019055725.tif 000006
【図５】
2019055725.tif 000007
【図６】
2019055725.tif 000008
【図７】
2019055725.tif 000009
(57)【要約】【課題】既存の書類たては、書類を平らに置くボード部分、書類下部を保持する部分、そしてボードを机上に立てておく支え部分で構成されている。従って最低限以上３点の部材が必要になる。この中でもボード部分を机上に立てる支え部分は必要不可欠な部材であり装置全体が大きくなってしまう事が課題。【解決手段】本発明では上記のボードを支える部分をボールペン、シャープペン、鉛筆などの筆記用具を利用することで省くことができるので、構造の単純小型軽量化を可能にした。【選択図】図１
2019055162.tif 000002
【特許請求の範囲】
【請求項１】
書類を保持して立てる書類たてを構成するために必要なボード後部を支える構造物を省き、このボード下部に筆記用具が入る小穴をあけておき、この穴に筆記用具を挿し込むことで書類を立てる構造にした、筆記用具を利用する書類立て。
【発明の詳細な説明】
【技術分野】
【０００１】  本発明は書類立てに関するもの
【背景技術】
【０００２】  書類立て自体が机上に立てる機能持ったものは既に存在する。
【発明の開示】
【発明が解決しようとする課題】
【０００３】  既存の書類たては、書類を平らに置くボード部分、書類下部を保持する部分、そしてボードを机上に立てておく支え部分で構成されている。従って最低限以上３点の部材が必要になる。この中でもボード部分を机上に立てる支え部分は必要不可欠な部材であり装置全体が大きくなってしまう事が課題。
【課題を解決するための手段】
【０００４】  本発明では上記のボードを支える部分をボールペン、シャープペン、鉛筆などの筆記用具を利用することで省くことができるので、構造の単純小型軽量化を可能にした。
【発明の効果】
【０００５】  ＩＴ化が進んできた現在でも印刷した紙媒体は非常に有用でありパソコン操作中もこれらの紙媒体情報を参照しながらの作業は頻繁に行われる。本発明はパソコンなどのＩＴ機器を置くことで手狭になった机上面に書類を広げることなく簡単に書類を立てて表示する事ができるシンプルで軽量安価な装置が実現する。結果、流行廃れがなくグローバルに販売可能な装置を短期間に商品化して提供する事を可能にするものである。
【発明を実施するための最良の形態】
【０００６】  本発明書類たての構成部材は、ボード部分と書類下部を支える部分２点の部品で構成されている。ボード部分はＭＤＦ  Ｍｅｄｉｕｍ  Ｄｅｎｓｉｔｙ  Ｆｉｂｅｒ  中密度繊維板と呼ばれる木材を原料とした丈夫で軽く加工容易な３ｍｍ厚程度の板材を使用する。この板材はプレス加工やレーザー加工が可能なので量産化に適した素材になる。そして書類下部を支える部分は、３ｍｍ厚程度の透明塩化ビニール樹脂素材を使用しプレス抜き型を製作して加工する。透明無色を選択することで、ＭＤＦ製ボード面を着色加工する場合でも、彩色の種類にかかわらず色彩適合させることができる。また塩ビ樹脂は柔軟性もあるので破損を防ぎ、組立て図３にある、はめ込み構造は購入者が容易に工具を使わず組立て可能になる。購入者が組み立てる構造にすることで厚さは完成品の約１／１０になるので、販売までの倉庫保存、輸送、販売在庫などに必要なスペースも約１／１０にできる。
【実施例１】
【０００７】  ボード部分１は前項で述べたようにＭＤＦ３ｍｍ厚程度の板材を使用し、プレス加工またはレーザー加工により生産する。書類下部を支える部分４は、３ｍｍ厚程度の透明塩ビ樹脂素材を使用しプレス抜き型を製作して加工する。本発明の「筆記用具を利用する書類立て」は以上の部品で構成されている。先述したとおり４は購入者が１の裏面に図３を印刷して貼付してあるステッカーを見ながら、４を手にもって６の穴に挿し込み約９０度回すことで簡単に固定させて完成できる。従って２個の部品４を２個並べて粘着テープに貼り、１に設けてある軽量化穴部分に橋渡しになるように接着しておく。このようにすることで商品の厚さは約３．２ミリになり、生産後の製品保存スペースも最小になる。
【図面の簡単な説明】
【０００８】
【図１】  本発明品の１に設けた穴２に筆記用具３を挿し込み、４の上に書類５を乗せた状態。
【図２】  本発明品の各構成部品と筆記用具を挿し込み使用する説明図。
【図３】  本装置の１に設けてある６に４を挿し込む組立て方説明図。印刷して１裏面に貼付。
【符号の説明】
【０００９】１  ボード
２  筆記用具を挿し込む穴
３  筆記用具、ボールペンシル、シャープペンシル、鉛筆など
４  書類下部を支える塩化ビニール製ホルダー
５  書類たてに置いた書類
６  書類下部を支える為の塩化ビニール製ホルダーを挿し込み留めておく穴
【図１】
2019055162.tif 000003
【図２】
2019055162.tif 000004
【図３】
2019055162.tif 000005
(57)【要約】【課題】  ＩＨクッキングヒーターを使用することに限定した、底面を中心角９０度の扇形とする縦長４個組みのＩＨ専用麦茶用やかんを提供する。【解決手段】  ＩＨクッキングヒーターを使用することに限定した、底面を中心角９０度の扇形とする縦長４個のやかんを１組として同時に湯を沸かすことを特徴とするＩＨ専用麦茶用やかん。【選択図】図２
2019055169.tif 000002
【特許請求の範囲】
【請求項１】
ＩＨクッキングヒーターを使用することに限定した、底面を中心角９０度の扇形とする縦長４個のやかんを１組として同時に湯を沸かすことを特徴とするＩＨ専用麦茶用やかん。
【発明の詳細な説明】
【技術分野】
【０００１】  本発明は、ＩＨクッキングヒーターを使用することに限定した、底面を中心角９０度の扇形とする縦長４個組みのＩＨ専用麦茶用やかんに関するものである。
【背景技術】
【０００２】  従来、家庭で大量の麦茶を作る際、１日に何回もやかんで湯を沸かす必要があった。
また、大量に水が入る大きいやかんを使用すると、水筒などに注ぎ入れるとき、女性など力のない人は持ち上げられないことがあった。
【発明の概要】
【発明が解決しようとする課題】
【０００３】  そのため、次のような問題点があった。
（イ）何回も湯を沸かすため、かなりの時間がかかる。
（ロ）やかんを大きくするだけでは、非力な人の解決にはならない。
本発明は、これらの問題点を解決するためになされたものである。
【課題を解決するための手段】
【０００４】  ＩＨクッキングヒーターを使用することに限定した、底面を中心角９０度の扇形とする縦長４個のやかんを１組として同時に湯を沸かす。
以上を特徴とするＩＨ専用麦茶用やかんである。
【発明の効果】
【０００５】（イ）一度にたくさんの湯を沸かすことができる。
（ロ）分割されているので非力な人でも持ち上げることが困難でなくなる。
【図面の簡単な説明】
【０００６】
【図１】  本発明の１個のやかんを斜め上から見た図である。
【図２】  本発明のやかん４個を１組として使用する図である。
【発明を実施するための形態】
【０００７】  以下、本発明の実施の形態について説明する。
これは、ＩＨクッキングヒーターの平面性を利用し、ＩＨクッキングヒーターの加熱部分の１つの円に２リットル容量の４個のやかんを置き、同時に加熱することで、一度に８リットルの湯を沸かし、麦茶を作ることができるというものである。
材質については、ＩＨクッキングヒーターに使用を限定するため、ステンレスとする。
形状については、やかんの底面はＩＨクッキングヒーターの加熱部分の円の中に４個のやかんが最も効率よく置けるようにその円を４等分した形、すなわち直径１０センチメートル程度の中心角９０度の扇形とする。
高さは、１個のやかんの容量を２リットルとするために２６センチメートル以上、また、冷蔵庫に入れることも想定し、ふた（２）のつまみ部分も含んだところで３０センチメートルを超えない程度とする。
注ぎ口（１）は、やかんの上の面の直角の部分につける。
ふた（２）は、やかんの上の面に麦茶パックが出し入れできる大きさのものをつける。
取っ手（３）は、曲面中央上部につける。
本発明は以上のような構成である。
本発明を使用するときは、４個のやかんに水を入れ、図２のようにＩＨクッキングヒーターの加熱部分の円に収まるように置き加熱することで同時に８リットルの湯を沸かす。
【符号の説明】
【０００８】  １  注ぎ口
２  ふた
３  取っ手
【図１】
2019055169.tif 000003
【図２】
2019055169.tif 000004